(57)【要約】【課題】プラントの諸設備・機器の保守作業と点検業務の大幅な省力化を図ることにある。【解決手段】プラントの計測制御装置とプラント設備点検端末とをインターネットで接続し、人がプラント設備診断端末から計測制御装置の点検項目・点検条件を入力すると、その点検項目・点検条件を基に計測制御装置の点検実行命令コードを自動生成し、生成された計測制御装置の点検実行命令コードを、インターネットを介して計測制御装置へ送信し、計測制御装置上で点検実行命令コードを自動実行し、その結果を、インターネットを介してプラント設備点検端末へ返信する。【効果】専門の保守作業員をプラントに派遣するための移動時間が不要であり、保守作業の工数の低減が可能である。また通信回線を点検作業の開始から終了まで常時接続しておく必要がない為、通信費用の抑制が可能である。【選択図】　図３
2004145406.tif 000002
【特許請求の範囲】
【請求項１】
プラント計測制御装置とプラント設備点検端末が公衆回線を介して接続されるものであって、前記プラント設備点検端末は、入力された点検項目或いは点検条件に応じ点検実行命令コードを生成し、公衆回線を介して前記計測制御装置へ送信し、前記プラント計測制御装置は、受信した点検実行命令コードに基づいて点検を実行し、点検実行結果を公衆回線を介して前記プラント設備点検端末に送信することを特徴とするプラント設備点検システム。
【請求項２】
請求項１において、前記点検実行命令コードにメーリングアドレスリストを付加し、前記計測制御装置は、点検実行後、前記メーリングアドレスリストのうち未だ点検がなされていない他の計測制御装置に対して、点検実行命令コードを転送することを特徴とするプラント設備点検システム。
【請求項３】
請求項１において、前記計測制御装置は、点検実行命令コードの実行に際して、計算機負荷或いは異常発生履歴データに基づき、実行時期を判断することを特徴とするプラント設備点検システム。
【請求項４】
請求項１において、前記実行した点検内容或いは実行時間等応じて、予め定められた計算式によって保守料金を算出し、計測制御装置毎にその料金を管理し、前記計測制御装置の管理者に対して予め定められた期日に料金を請求するプラント設備点検システム。
【請求項５】
プラント計測制御装置と公衆回線を介して接続されるものであって、入力された点検項目或いは点検条件に応じ点検実行命令コードを生成し、公衆回線を介して前記計測制御装置へ送信し、前記点検実行命令コードに基づいて点検結果を公衆回線を介して受信することを特徴とするプラント設備点検端末。
【請求項６】
プラント設備点検端末と公衆回線を介して接続されるものであって、点検実行命令コードを受信し、前記受信した点検実行命令コードに基づいて点検を実行し、公衆回線を介して点検実行結果を前記プラント設備点検端末に送信することを特徴とするプラント計測制御装置。
【請求項７】
プラント計測制御装置とプラント設備点検端末が公衆回線を介して接続されており、前記プラント設備点検端末は、入力された点検項目或いは点検条件に応じ点検実行命令コードを生成し、公衆回線を介して前記計測制御装置へ送信し、前記プラント計測制御装置は、受信した点検実行命令コードに基づいて点検を実行し、点検実行結果を公衆回線を介して前記プラント設備点検端末に送信することを特徴とするプラント設備点検方法。
【請求項８】
プラント計測制御装置と公衆回線を介して接続されており、入力された点検項目或いは点検条件に応じ点検実行命令コードを生成し、公衆回線を介して前記計測制御装置へ送信し、前記点検実行命令コードに基づいて点検結果を公衆回線を介して受信するプラント設備点検方法。
【請求項９】
プラント設備点検端末と公衆回線を介して接続されるものであって、点検実行命令コードを受信し、前記受信した点検実行命令コードに基づいて点検を実行し、公衆回線を介して点検実行結果を前記プラント設備点検端末に送信することを特徴とするプラント計測制御方法。
【発明の詳細な説明】
【０００１】
【発明の属する技術分野】
本発明は、プラント設備点検システム，プラント設備点検端末，プラント計測制御装置，プラント設備点検方法及びプラント計測制御方法に関する。
【０００２】
【従来の技術】
火力・原子力発電プラント，化学プラント等のプラントに於いては、プラントを安定に運転する為、プラント内の諸設備・機器に対して、定期的或いは不定期の点検を実施している。
【０００３】
プラント内の諸設備・機器に対しての点検は、専門技術や技能を備えた設備・機器の製造メーカーや保守サービス会社に委託して実施しているのが一般的である。
【０００４】
従来、設備・機器の製造メーカーや保守サービス会社は、委託を請けて、点検の作業手順を立案し、専門の保守作業員をプラントに派遣し、その点検作業手順に従って、点検を実施しているが、数多いプラントの点検時期に合わせて限られた保守作業員を割り当てるのが難しく、かつ、プラントへ移動する為の時間が多大であり、その短縮が求められていた。
【０００５】
一方、近年、プラントの計測制御装置に通信回線を接続し、設備・機器の製造メーカーや保守サービス会社から、遠隔操作による点検作業を実施する例も見られるし、例えば、特開平９−２６５３１６号公報に記載されている。しかしながら、回線速度が低い為、点検作業の操作に対する応答を得るのに時間を要したり、通信回線を点検作業の開始から終了まで常時接続しておく必要がある為、通信費用が多大にかかる嫌いがあった。
【０００６】
すなわち、まず、回線の接続をする。次に計算機負荷採取コマンド入力及び送信し、計測制御装置の点検を実施する。さらに、点検項目が未完了ならば、点検項目数分繰り返し、点検項目分完了ならば、回線の遮断を実施する。
【特許文献１】
特開平９−２６５３１６号公報
【０００７】
【発明が解決しようとする課題】
従来のプラント設備の点検では、例えば、保守作業員がプラントへ出向く必要がある等、点検作業が容易でなかった。
【０００８】
本発明は、プラントの諸設備・機器等の、例えば、詳細かつ最新な情報について、点検作業が容易となるものを提供することにある。
【０００９】
【課題を解決するための手段】
上記目的を達成するため、本発明では、プラント設備点検端末は、入力された点検項目或いは点検条件に応じ点検実行命令コードを生成し、公衆回線を介して計測制御装置へ送信するように構成した。また、プラント計測制御装置は、受信した点検実行命令コードに基づいて点検を実行し、点検実行結果を公衆回線を介してプラント設備点検端末に送信するように構成した。
【００１０】
【発明の実施の形態】
以下、本発明の一実施形態を図面に基づいて説明する。
【００１１】
図１は、本発明の一実施形態を示す設備点検エージェントシステムの全体構成図である。図１に於いて、設備点検端末１とプラント内の設備や機器を監視・制御する計測制御装置２は、インターネット３（インターネット３以外の公衆回線でも良い。以下同様。）を介して接続される。
【００１２】
いま、例えば、あるプラントの計測制御装置の点検を実施しようとする場合、設備点検端末１から入力された点検条件に基づいて計測制御装置２上で自動実行可能な点検エージェントを生成し、計測制御装置２へ送信する。点検エージェントが到着すると、計測制御装置２では、自動的に点検を実行し、その結果を設備点検端末１へ返信する。
【００１３】
これらの点検の実行に際しては、設備点検端末１，計測制御装置２を繋ぐインターネットの回線は、図２に示すように点検エージェントを計測制御装置２へ送信する間と、その結果を設備点検端末１へ返信する間のみ接続すれば良く、常時接続は不要である。
【００１４】
次に、計測制御装置（設備点検端末）２の処理フローを図３に示す。まず、図３に示す点検条件入力画面５１が設備点検端末１に表示され（図３ブロック１００）、これに対して、点検条件入力画面５１から、点検区分５２と点検開始条件５３や点検項目といった点検に係わる条件を入力する（図３ブロック２００）。これら入力された点検条件入力を用いて、設備点検端末１では、入力された点検項目数に応じて点検命令実行コードを生成し（図３ブロック３００）、図５に示す点検エージェントを編集し（図３ブロック５００）、計測制御装置２に対して送信する（図５ブロック６００）。即ち、図５に示すように、設備点検端末１を示す送信元ネットワークアドレス７１，計測制御装置メーリングリスト７２，点検区分６２，点検開始条件６３と、計測制御装置２上で点検を自動的に実行する計測制御装置点検実行命令コード７３を結合させ、一つのメッセージとする。
【００１５】
ここで、計測制御装置点検実行命令コード７３は、計測制御装置２のハードウェアの処理装置が直接実行できる機械語から成るものでも良いし、オペレーティングシステムやメンテナンスプログラムが解釈しつつ実行できるコマンド形式のものであっても良い。
【００１６】
図６に、計測制御装置２の処理のフローチャートを示す。
【００１７】
計測制御装置２は、点検エージェント４を受信すると、直ちに点検開始条件を取り出し（ブロック１００）、点検開始条件の判定（ブロック２００）を実行する。ここでは、点検開始条件が、「計算機負荷３０％未満」を指定された場合を例に取ると、その時の計算機の負荷を測定し、条件（３０％未満）を満足すれば、次のブロックに進むが、条件を満足しない場合は、一定時間を置いて再度測定し点検開始条件の判定（ブロック２００）を開始条件が満足されるまで、繰り返す。
【００１８】
計測制御装置内の監視・制御プログラムが錯綜して実行されているような計算機負荷の高い状態で点検を実施した場合には、計測制御装置の本来の業務へ悪影響を及ぼすことがあり得るが、図７のように、点検開始条件を付加することにより、それを回避できる。
【００１９】
点検開始条件が成立した後は、点検実行命令コードが取り出され順次実行（ブロック４００）される。点検実行命令コードの実行により得られた点検結果は、図８に示す点検結果メッセージ５に編集され（ブロック５００）、設備点検端末へ送信される（ブロック６００）。点検結果メッセージ５の送信完了後、計測制御装置２は、点検エージェント４から計測制御装置メーリングリスト７２を取り出す。計測制御装置メーリングリスト７２は、図９に示すように点検の対象となる計測制御装置のネットワークアドレスからなり、計測制御装置２は、自分のネットワークアドレスの次のネットワークアドレスに対し、点検エージェントを転送する。これにより、図１０に示すように、インターネットに接続されている複数の点検対象の計測制御装置に対して、順次、点検が実施され、その都度、点検結果メッセージを設備点検端末へ返信され、設備点検端末から一つの点検エージェントを発信するだけで、複数の計測制御装置の点検を、自動的に実行し、各々の点検結果を得ることが出来る。
【００２０】
設備点検端末は、点検結果メッセージ５を受信すると、図１１に示すように、点検項目数を取り出し（ブロック１００）、点検項目数分，点検結果を取り出し表示する（ブロック２００，３００，４００）と共に、点検項目数などに基づき予め定められた計算式により、点検に係わる料金を算出し、図１２に示すような構成の保守料金課金ファイルへ書き込む。保守料金課金ファイルは、計測制御装置毎にその料金を管理し、点検の実施者から、計測制御装置の管理者に対して、予め定められた期日に料金を請求することを可能とする。
【００２１】
本実施例では、専門の保守作業員をプラントに派遣するための移動時間が不要であり、保守作業の工数の低減が可能である。また通信回線を点検作業の開始から終了まで常時接続しておく必要がない為、通信費用の抑制が可能である。
【００２２】
【発明の効果】
以上説明したように、本発明によれば、工数が大幅に削減され、点検保守作業が容易となる。
【図面の簡単な説明】
【図１】本発明の一実施形態を示す設備点検エージェントシステムの全体構成図である。
【図２】本発明の設備点検端末と計測制御装置の接続を示す図である。
【図３】設備点検端末に於ける点検エージェントの作成・送信処理のフローチャートを示す図である。
【図４】点検入力画面の例を示す図である。
【図５】点検エージェントのメッセージの構成を示す図である。
【図６】計測制御装置に於ける点検エージェント受信時の処理のフローチャートを示す図である。
【図７】点検開始条件を示す図である。
【図８】点検結果のメッセージを示す図である。
【図９】計測制御装置メーリングアドレスリストを示す図である。
【図１０】計測制御装置メーリングアドレスリストにより、点検エージェントが巡回し計測制御装置の点検を実施する形態を示す図である。
【図１１】設備点検端末に於ける点検結果メッセージ受信時の処理のフローチャートを示す図である。
【図１２】保守料金課金ファイルの構成を示す図である。
【符号の説明】
１…設備点検端末、２…計測制御装置、３…インターネット、４…点検エージェント、５…点検結果メッセージ、６１…点検条件入力画面の例、６２…点検区分設定ボタン、６３…点検開始条件設定ボタン、６４…点検項目選択ボタン、７１…送信元ネットワークアドレス情報、７２…計測制御装置メーリングリスト、７３…計測制御装置点検実行命令コード、１１１…計測制御装置ネットワークアドレス情報、１４１…保守料金課金ファイル、１４２…計測制御装置Ａ課金情報ファイル、１４３…点検履歴ファイル。
【図１】
2004145406.tif 000003
【図２】
2004145406.tif 000004
【図３】
2004145406.tif 000005
【図４】
2004145406.tif 000006
【図５】
2004145406.tif 000007
【図６】
2004145406.tif 000008
【図７】
2004145406.tif 000009
【図８】
2004145406.tif 000010
【図９】
2004145406.tif 000011
【図１０】
2004145406.tif 000012
【図１１】
2004145406.tif 000013
【図１２】
2004145406.tif 000014